(57)【要約】【課題】ＨＡＲＱを用いたデータ伝送方法を提供する。【解決手段】前記方法は、アップリンクデータを伝送する段階と、前記アップリンクデータに対応するＡＣＫ信号を受信する段階と、前記ＡＣＫ信号を受信した以後、アップリンクグラントが受信される時まで前記アップリンクデータをＨＡＲＱバッファに保管する段階と、を含む。データ伝送の信頼性を向上させることができる。【選択図】図１０
2010539845.tif 000002
【特許請求の範囲】
【請求項１】
ハイブリッド再送要求（ＨＡＲＱ）を用いたデータ伝送方法において、
アップリンクデータを伝送する段階と、
前記アップリンクデータに対応するＡＣＫ信号を受信する段階と、
前記ＡＣＫ信号を受信した後、アップリンクリソース割当に関する情報を含むアップリンクグラントが受信される時まで前記アップリンクデータをＨＡＲＱバッファに保管する段階と、
を含むことを特徴とするデータ伝送方法。
【請求項２】
前記アップリンクグラントをダウンリンク制御チャネル上に受信する段階と、
前記アップリンクグラントが再伝送を指示する時、前記ＡＣＫ信号に関係なく前記アップリンクデータを再伝送する段階と、
をさらに含む、請求項１に記載のデータ伝送方法。
【請求項３】
前記アップリンクグラントをダウンリンク制御チャネル上に受信する段階と、
前記アップリンクグラントが新規伝送を指示する時、新しいアップリンクデータを伝送する段階と、
をさらに含む、請求項１に記載のデータ伝送方法。
【請求項４】
前記ＨＡＲＱバッファ内の前記アップリンクデータをフラッシュする段階をさらに含む、請求項３に記載のデータ伝送方法。
【請求項５】
前記アップリンクデータは、ＭＡＣ ＰＤＵである、請求項１に記載のデータ伝送方法。
【請求項６】
前記アップリンクデータをＨＡＲＱバッファに保管した後、伝送試行回数(ＴＴＮ)を１だけ増加させる段階と、
前記アップリンクデータの再伝送の後、前記ＴＴＮを１だけ増加させる段階と、
をさらに含む、請求項１に記載のデータ伝送方法。
【請求項７】
前記アップリンクデータの再伝送の後、前記ＴＴＮを１だけ増加させる段階をさらに含む、請求項１に記載のデータ伝送方法。
【請求項８】
ＨＡＲＱを用いたデータ伝送方法において、
アップリンクデータを伝送する段階と、
前記アップリンクデータの成功した、または失敗した受信に関するフィードバックである、前記アップリンクデータに関するＡＣＫ/ＮＡＣＫ信号を受信する段階と、
アップリンクリソース割当に関する情報を含むアップリンクグラントをダウンリンク制御チャネル上に受信する段階と、
前記アップリンクグラントが再伝送を指示する時、前記ＡＣＫ/ＮＡＣＫ信号の情報と関係なく前記アップリンクデータを再伝送する段階と、
を含むことを特徴とするデータ伝送方法。
【請求項９】
前記ＡＣＫ/ＮＡＣＫ信号がＡＣＫ信号である場合、前記アップリンクデータをＨＡＲＱバッファに保管する段階をさらに含む、請求項８に記載のデータ伝送方法。
【請求項１０】
前記アップリンクグラントが新規伝送を指示する場合、前記ＡＣＫ/ＮＡＣＫ信号の情報と関係なく新しいアップリンクデータを伝送する段階をさらに含む、請求項８に記載のデータ伝送方法。
【請求項１１】
前記ＡＣＫ/ＮＡＣＫ信号は、物理ハイブリッド再送要求指示チャネル（ＰＨＩＣＨ)上に受信される、請求項８に記載のデータ伝送方法。
【請求項１２】
前記アップリンクグラントは、伝送状態インジケータを含み、前記伝送状態インジケータは、前記アップリンクグラントが再伝送のためのものであるか、または新規伝送のためのものであるかを指示する、請求項８に記載のデータ伝送方法。
【請求項１３】
ＨＡＲＱを用いたデータ伝送方法において、
アップリンクデータを伝送する段階と、
前記アップリンクデータに対応するＡＣＫ/ＮＡＣＫ信号を受信する段階と、
前記ＡＣＫ/ＮＡＣＫ信号を受信した後、前記アップリンクデータをＨＡＲＱバッファに保管する段階と、
アップリンクリソース割当に関する情報を含むアップリンクグラントをダウンリンク制御チャネル上に受信する段階と、
前記アップリンクグラントの指示に応じて前記アップリンクデータを再伝送する、あるいは新しいアップリンクデータを伝送する段階と、
を含むことを特徴とするデータ伝送方法。
【請求項１４】
前記ＡＣＫ/ＮＡＣＫ信号は、ＡＣＫ信号である、請求項１３に記載のデータ伝送方法。
【発明の詳細な説明】
【技術分野】
【０００１】
本発明は、無線通信に関し、より詳しくは、 ＨＡＲＱを用いたデータ伝送方法に関する。
【背景技術】
【０００２】
音声中心のサービスのみならず、映像、無線データなどの多様な情報を処理して伝送できる高速大容量通信システムの要求に応じて、無線通信ネットワークに有線通信ネットワークの容量と同等の大容量データを伝送することが可能な技術の開発が要求されている。そこで、情報損失の減少を最小化し、システム伝送効率を上げるための適切なエラー処理方法が必須要素となっている。
【０００３】
エラー処理技法には、順方向誤り訂正 (forward error correction；ＦＥＣ)方式と自動再送要求 (automatic repeat request；ＡＲＱ)方式とがある。ＦＥＣ方式は、情報ビットに余分のエラー訂正コードを追加することによって、受信機がエラーを訂正する。ＡＲＱ方式は、受信信号にエラーがある場合、送信機がデータを再伝送することによってエラーを訂正する方式である。ＨＡＲＱ(ハイブリッドARQ)方式は、ＦＥＣとＡＲＱとを結合した方式である。
【０００４】
ＨＡＲＱ方式の受信機は、基本的に受信データに対してエラー訂正を試みて、エラー検出符号を使用して再伝送するか否かを決定する。エラー検出のために、送信機は、送信するデータにエラー検出符号である巡回冗長検査 (Cyclic Redundancy Check；ＣＲＣ)を付加することができ、受信機は、付加されたＣＲＣから受信されたデータのエラーを検出することができる。受信機がＣＲＣからエラーを検出した結果、エラーがなければ、応答信号としてＡＣＫ(Acknowledgement)信号を送信機にフィードバックする。一方、受信したデータでエラーが検出されれば、受信機は、応答信号としてＮＡＣＫ(Negative-Acknowledgement)信号を送信機に伝送する。即ち、ＡＣＫ/ＮＡＣＫ信号は、アップリンクデータの成功した受信または失敗した受信に対するフィードバックである。送信機は、ＮＡＣＫ信号が受信されれば、データを再伝送する。このようなＨＡＲＱ過程は物理階層で遂行される。
【０００５】
ＨＡＲＱは、端末または基地局にある少なくとも一つのＨＡＲＱエンティティによって遂行される。前記ＨＡＲＱエンティティは、直前のデータ伝送の成功した受信または失敗した受信に対するフィードバック(ＡＣＫ信号またはＮＡＣＫ信号)を待つ間にデータの伝送が連続的に進行することができるようにする。アップリンク伝送において、端末は、基地局からリソース割当を受信して、関連するＨＡＲＱ情報を前記ＨＡＲＱエンティティに指示すれば、前記ＨＡＲＱエンティティは、前記ＨＡＲＱ情報によって指示されたＨＡＲＱプロセスを遂行する。端末では前記ＨＡＲＱエンティティを支援するために複数の並列的なＨＡＲＱプロセスを使うことができる。
【０００６】
以下、ダウンリンクは、基地局から端末への通信を意味し、アップリンクは、端末から基地局への通信を意味する。アップリンク伝送とＨＡＲＱ過程を簡単に説明すれば、次の通りである。基地局がスケジューリング情報をダウンリンク制御チャネルである物理ダウンリンク制御チャネル (Physical Downlink Control CHannel；ＰＤＣＣＨ)を介して端末に伝送すれば、端末は、スケジューリング情報に応じてアップリンクデータ伝送チャネルである物理アップリンク共有チャネル (Physical Uplink Shared CHannel；ＰＵＳＣＨ)を介してデータを基地局に伝送する。端末がデータを基地局に伝送すれば、基地局は、ＡＣＫ/ＮＡＣＫチャネル(つまり、物理ハイブリッド再送要求指示チャネル（Physical HARQ Indicator CHannel；ＰＨＩＣＨ))を介してＡＣＫ/ＮＡＣＫ信号を端末に伝送する。
【０００７】
もし、ＡＣＫ/ＮＡＣＫチャネルにエラーが発生してＮＡＣＫ信号の代わりにＡＣＫ信号が誤って伝送される、或いはＡＣＫ信号の代わりにＮＡＣＫ信号が誤って伝送される場合、端末は、データの再伝送または新規データの伝送を正しく遂行することができない。また、ＰＤＣＣＨにエラーが発生すれば、端末は、スケジューリング情報がわからないため、アップリンク伝送を正しく遂行することができない。このように、制御チャネルのエラーは、不必要なデータの再伝送または必要なデータの未伝送によって結局データの伝送性能を悪化させる。
【０００８】
従って、制御チャネルのエラーを考慮したデータ伝送方法が要求される。
【発明の概要】
【発明が解決しようとする課題】
【０００９】
本発明の技術的課題は、ＨＡＲＱを用いたデータ伝送方法を提供することである。
【課題を解決するための手段】
【００１０】
本発明の一態様によると、ＨＡＲＱを用いたデータ伝送方法を提供する。前記方法は、アップリンクデータを伝送する段階と、前記アップリンクデータに対応するＡＣＫ信号を受信する段階と、前記ＡＣＫ信号を受信した後、アップリンクリソース割当に関する情報を含むアップリンクグラントが受信されるまで前記アップリンクデータをＨＡＲＱバッファに保管する段階とを含む。
【００１１】
本発明の他の態様によると、ＨＡＲＱを用いたデータ伝送方法を提供する。前記方法は、アップリンクデータを伝送する段階と、前記アップリンクデータの成功または失敗した受信に関するフィードバックであるＡＣＫ/ＮＡＣＫ信号を受信する段階と、アップリンクリソース割当に関する情報を含むアップリンクグラントをダウンリンク制御チャネル上に受信する段階と、前記アップリンクグラントが再伝送を指示する時、前記ＡＣＫ/ＮＡＣＫ信号の情報と関係なく前記アップリンクデータを再伝送する段階とを含む。
【００１２】
また、本発明の他の態様によると、ＨＡＲＱを用いたデータ伝送方法を提供する。前記方法は、アップリンクデータを伝送する段階と、前記アップリンクデータに対応するＡＣＫ/ＮＡＣＫ信号を受信する段階と、前記ＡＣＫ/ＮＡＣＫ信号を受信した後、前記アップリンクデータをＨＡＲＱバッファに保管する段階と、アップリンクリソース割当に関する情報を含むアップリンクグラントをダウンリンク制御チャネル上に受信する段階と、前記アップリンクグラントの指示に応じて前記アップリンクデータを再伝送する、あるいは新しいアップリンクデータを伝送する段階とを含む。
【発明の効果】
【００１３】
チャネル状態が悪化してダウンリンク制御チャネルであるＰＤＣＣＨのＣＲＣエラーが発生しても、データを繰り返して再伝送する必要なく端末と基地局との間の約束されたプロトコルを用いて短時間内にＰＤＣＣＨのエラーに対応してデータを再伝送することができる。特に、端末がＰＤＣＣＨのＣＲＣエラーに対して対処できる方法が一層明確になる。ＡＣＫ/ＮＡＣＫ信号とＰＤＣＣＨに伝送されるアップリンクグラントの情報を用いてエラーを判断することによってデータ伝送の信頼性を向上させることができる。
【図面の簡単な説明】
【００１４】
【図１】無線通信システムを示すブロック図である。
【図２】無線フレーム構造の一例を示す。
【図３】サブフレーム構造の一例を示す。
【図４】本発明の一例に係るＡＣＫ/ＮＡＣＫチャネルのエラーを考慮するデータ伝送方法を示す。
【図５】本発明の他の例に係るＡＣＫ/ＮＡＣＫチャネルのエラーを考慮するデータ伝送方法を示す。
【図６】本発明の他の例に係るＡＣＫ/ＮＡＣＫチャネルのエラーを考慮するデータ伝送方法を示す。
【図７】本発明の一例に係るＰＤＣＣＨとＡＣＫ/ＮＡＣＫチャネルのエラーを考慮するデータ伝送方法を示すフローチャートである。
【図８】本発明の他の例に係るＰＤＣＣＨとＡＣＫ/ＮＡＣＫチャネルのエラーを考慮するデータ伝送方法を示すフローチャートである。
【図９】本発明の他の例に係るＰＤＣＣＨとＡＣＫ/ＮＡＣＫチャネルのエラーを考慮するデータ伝送方法を示す流れ図である。
【図１０】本発明の他の例に係るＰＤＣＣＨとＡＣＫ/ＮＡＣＫチャネルのエラーを考慮するデータ伝送方法を示す流れ図である。
【図１１】本発明の他の例に係るＰＤＣＣＨとＡＣＫ/ＮＡＣＫチャネルのエラーを考慮するデータ伝送方法を示す流れ図である。
【図１２】本発明の他の例に係るＰＤＣＣＨとＡＣＫ/ＮＡＣＫチャネルのエラーを考慮するデータ伝送方法を示す流れ図である。
【発明を実施するための形態】
【００１５】
以下、本発明が属する技術分野において通常の知識を有する者が、本発明を容易に実施できる程度に詳細に説明するために、本発明の望ましい実施例を添付図面を参照して説明する。然しながら、実施例は以下に説明する実施例に限定されず、多様な形態で具現化され、単に本実施例は、本発明の開示を完全なものとし、通常の知識を有する者に発明の範囲を十分に知らせるために提供されるものである。図面における要素の形状などは、一層明確な説明を強調するために誇張して表現された部分がある場合があり、図面上で、同一符号で表示された要素は同一要素を意味する。
【００１６】
図１は、無線通信システムを示すブロック図である。無線通信システムは、音声、パケットデータなどのような多様な通信サービスを提供するために広く配置される。
【００１７】
図１を参照すると、無線通信システムは、端末１０(User Equipment；ＵＥ)及び基地局２０(Base Station；ＢＳ)を含む。端末１０は、固定される、或いは移動性を有することができて、基地局 (Mobile Station；ＭＳ)、ＵＴ(User Terminal)、加入者端末 (Subscriber Station；ＳＳ)、無線機器等、他の用語で呼ばれる場合もある。基地局２０は、一般的に端末１０と通信する固定された地点をいい、ノードＢ(Node-B)、無線基地局装置 (Base Transceiver System；ＢＴＳ)、アクセスポイント等、他の用語で呼ばれる場合もある。一つの基地局２０には一つ以上のセルが存在できる。
【００１８】
以下、ダウンリンクは、基地局２０から端末１０への通信を意味し、アップリンクは、端末１０から基地局２０への通信を意味する。ダウンリンクにおいて、伝送器は、基地局２０の一部分であることがあり、受信機は端末１０の一部分であることがある。アップリンクにおいて、伝送器は、端末１０の一部分であることがあり、受信機は基地局２０の一部分であることがある。
【００１９】
ダウンリンク及びアップリンク伝送のための多重接続方式は互いに異なっていてもよい。例えば、ダウンリンクは、直交周波数分割多元接続 (Orthogonal Frequency Division Multiple Access；ＯＦＤＭＡ)を使用し、アップリンクは、単一波周波数分割多元接続 (Single Carrier-Frequency Division Multiple Access；ＳＣ-ＦＤＭＡ)を使用することができる。
【００２０】
無線通信システムに適用される多重接続技法には制限がない。符号分割多元接続(Code Division Multiple Access；ＣＤＭＡ)、時分割多元接続(Time Division Multiple Access；ＴＤＭＡ)、周波数分割多元接続(Frequency Division Multiple Access；ＦＤＭＡ)、ＳＣ-ＦＤＭＡ、ＯＦＤＭＡまたは公知の他の変調技術のような多重接続方式に基づいてもよい。これらの変調方式は、通信システムのマルチユーザから受信された信号を復調して通信システムの容量を増加させる。説明を明確にするために、以下ではＯＦＤＭＡ基盤の無線通信システムについて説明する。
【００２１】
直交周波数分割多重(Orthogonal Frequency Division Multiplexing；ＯＦＤＭ)は、多数の直交副搬送波を用いる。ＯＦＤＭは、逆高速フーリエ変換(inverse fast Fourier Transform；ＩＦＦＴ)と高速フーリエ変換(fast Fourier Transform；ＦＦＴ)との間の直交特性を用いる。送信機でデータはＩＦＦＴを遂行して伝送する。受信機で受信信号に対してＦＦＴを遂行して元のデータを復元する。送信機は、多重副搬送波を結合するためにＩＦＦＴを使用し、受信機は、多重副搬送波を分離するために対応するＦＦＴを使用する。ＯＦＤＭによると、広域チャネルの周波数選択的フェーディング環境で受信機の複雑度を下げて、副搬送波間の異なるチャネル特性を活用して周波数領域における選択的スケジューリングなどを介して周波数効率を高めることができる。ＯＦＤＭＡは、ＯＦＤＭに基づいた多重接続方式である。ＯＦＤＭＡによると、マルチユーザに相異なる副搬送波を割り当てることによって無線リソースの効率性を高めることができる。
【００２２】
図２は、無線フレーム構造の一例を示す。
【００２３】
図２を参照すると、無線フレームは１０個のサブフレームで構成されて、一つのサブフレームは２個のスロットを含む。データ伝送の基本単位は、サブフレーム単位となり、サブフレーム単位にダウンリンクまたはアップリンクのスケジューリングが行われる。一つのスロットは、時間領域で複数のＯＦＤＭシンボルと周波数領域で少なくとも一つの副搬送波とを含んでもよい。一つのスロットは、７または６ＯＦＤＭシンボルを含んでもよい。
【００２４】
無線フレームの構造は例示に過ぎず、無線フレームに含まれるサブフレームの数またはサブフレームに含まれるスロットの数、スロットに含まれるＯＦＤＭシンボルの数、副搬送波の数は多様に変更することができる。
【００２５】
図３は、サブフレーム構造の一例を示す。
【００２６】
図３を参照すると、一サブフレームは、合計１４個のＯＦＤＭシンボルで構成される。周波数領域で１個のＯＦＤＭシンボルは、少なくとも一つ以上の副搬送波を含む。また、１個の副搬送波と１個のＯＦＤＭシンボルは、リソースエレメントと呼ばれる。ダウンリンクの場合、１個のＯＦＤＭシンボルに含まれる副搬送波の個数は端末ごとに異なる。例えば、ＦＤＭＡシステムにおいて、１個のＯＦＤＭシンボルに含まれる副搬送波の個数は、端末に割り当てられた周波数帯域幅に該当する副搬送波の個数になる。
【００２７】
サブフレームは、制御領域及びデータ領域の２部分に分けられ、最初の３個のＯＦＤＭシンボルは、制御領域に割り当てられ、残りの１１個のＯＦＤＭシンボルは、データ領域に割り当てることができる。一サブフレーム上で制御チャネル及びデータチャネルに割り当てられるＯＦＤＭシンボルの個数は、それ以外にも多様に設定することができる。
【００２８】
制御領域は、制御信号のみを伝送する領域であり、制御チャネルに割り当てられる。データ領域は、データを伝送する領域であり、データチャネルに割り当てられる。制御チャネルは、制御信号を伝送するチャネルであり、データチャネルは、ユーザデータまたはユーザデータと制御信号を伝送するチャネルである。制御チャネル及びデータチャネルは、一つのサブフレームで構成することができる。
【００２９】
制御信号は、ユーザデータでない信号であり、ＡＣＫ/ＮＡＣＫ信号、チャネル品質インジケータ(Channel Quality Indicator；ＣＱＩ)、プリコーディングマトリクスインデックス(Precoding Matrix Index；ＰＭＩ)、ランクインジケータ(Rank Indicator；ＲＩ)等、多様な種類がある。
【００３０】
データチャネルにはダウンリンクデータを伝送するダウンリンク物理チャネルである物理ダウンリンク共有チャネル(Physical Downlink Shared CHannel；ＰＤＳＣＨ)とアップリンクデータを伝送するアップリンク物理チャネルであるＰＵＳＣＨとがある。一方、制御チャネルにはＡＣＫ/ＮＡＣＫ信号を伝送する制御チャネルであるＡＣＫ/ＮＡＣＫチャネルとスケジューリング情報を伝送するＰＤＣＣＨとがある。ＡＣＫ/ＮＡＣＫチャネルは、ダウンリンクである場合、ＰＨＩＣＨと呼ばれる場合もある。ＰＤＣＣＨは、ダウンリンク制御チャネルとして、ＰＵＳＣＨに関するスケジューリング情報またはＰＤＳＣＨに関するスケジューリング情報を伝送する。ＰＵＳＣＨに関するスケジューリング情報は、アップリンクグラントといい、ＰＤＳＣＨに関するスケジューリング情報は、ダウンリンクグラントという。
【００３１】
アップリンクグラントは、メディアアクセス制御(Medium Access Control；ＭＡＣ)階層のデータであるＭＡＣ プロトコルデータユニット(Protocol Data Unit；ＰＤＵ)送受信のために端末に割り当てられる無線リソースに関する情報である。基地局は、特定端末のためにＰＤＣＣＨにアップリンクグラントを伝送する場合、特定端末の識別子であるＵＥ_ＩＤ(User Equipment_IDentification)を伝送し、各端末は、ＰＤＣＣＨに自分のＵＥ_ＩＤがあるか否かを確認することによって自分のためのアップリンクグラントが伝送されるか否かが分かる。ＵＥ_ＩＤは、Ｃ-ＲＮＴＩ(Radio Network Temporary Identifier)と呼ばれる場合もある。
【００３２】
表１は、アップリンクグラントのフィールドを構成するパラメータの一例である。
【００３３】
【表１】
2010539845.tif 000003
【００３４】
表１を参照すると、アップリンクグラントのフィールドを構成するパラメータは、フォーマット情報(Format)、リソースブロック割当情報(RB assignment)、ＭＡＣ ＩＤ情報、伝送フォーマット情報(Transmission Format)、再伝送順序番号(Retransmission Sequence Number；RSN)、伝送電力制御情報(TPC)、復調基準信号の循環シフト情報(Cyclic shift for DMRS)及びアップリンクインデックス情報(UL index、TDDシステムの場合)を含む。リソースブロック割当情報は、リソースブロック単位にリソースを割り当てる特別な場合のリソース割当情報を意味する。従って、リソースブロック割当情報は、リソース割当情報と呼ばれる場合もある。以下、リソースブロック割当情報をリソース割当情報という。
【００３５】
リソース割当情報は、端末がアップリンクに伝送する、或いはダウンリンクに受信するデータのための無線リソースに関する割当情報をいう。基地局が管轄する端末中にはデータを送受信する端末もあり、そうでない端末もある。データを送受信する端末には無線リソースが割り当てられなければならないが、そうでない端末は、無線リソースを割り当てる必要がない。無線リソースを割り当てる必要がない端末にはその端末のためのアップリンクグラントさえ伝送されない場合もある。
【００３６】
再伝送順序番号は、アップリンクグラントが前記以前のデータの再伝送のためのアップリンクグラントであるか否かを示すインジケータであり、少なくとも１個以上のビット情報によってデータの再伝送を行うか否かを表す。再伝送順序番号が１個のビット情報である場合、１ならば「以前のデータの再伝送」を、０ならば「新規データの伝送」を示す。
【００３７】
以下、リソース割当情報がＮＵＬＬに設定されたアップリンクグラント、即ち、アップリンク無線リソースが割り当てられないアップリンクグラントをＮＵＬＬアップリンクグラント(UL grant(NULL))という。基地局は、アップリンクグラントまたはＮＵＬＬアップリンクグラントを端末に伝送することができる。ＮＵＬＬの代わりに、場合によって、ボイド(Void）またはデフォルト(Default）を用いることができる。
【００３８】
ＮＵＬＬアップリンクグラントのフィールドは、次の表２のように構成される。
【００３９】
【表２】
2010539845.tif 000004
【００４０】
表２を参照すると、ＮＵＬＬアップリンクグラントのフィールドを構成するパラメータは、フォーマット情報(Format)、リソースブロック割当情報(RB assignment)、ＭＡＣ ＩＤ情報である。表１におけるアップリンクグラントのパラメータと比較する時、ＮＵＬＬアップリンクグラントでは、伝送フォーマット情報(Transmission Format)、再伝送シークエンス番号情報(Retransmission Sequence Number)、伝送電力制御情報(TPC)、復調基準信号の循環シフト情報(Cyclic shift for DMRS)及びアップリンクインデックス情報(UL index、TDDシステムの場合)が除かれる。表２は、ＮＵＬＬアップリンクグラントの一例に過ぎず、フィールド情報の中からリソースブロック割当情報も除外することができる。
【００４１】
以下、アップリンクデータ伝送において、ダウンリンク制御チャネルのエラーを考慮してデータを伝送する方法について説明する。前述の通りにダウンリンク制御チャネルにはＡＣＫ/ＮＡＣＫチャネル及びＰＤＣＣＨがある。
【００４２】
ＡＣＫ/ＮＡＣＫチャネルエラーは、ＡＣＫ/ＮＡＣＫ信号自体が失われた場合を除き、次の２種類のうちいずれか一つである。その一つは、基地局がＮＡＣＫ信号を伝送したが、端末がＡＣＫ信号であると誤って受信するエラーであるＮＡＣＫ-ｔｏ-ＡＣＫエラーである。他の一つは、基地局がＡＣＫ信号を伝送したが、端末がＮＡＣＫ信号であると誤って受信するエラーであるＡＣＫ-ｔｏ-ＮＡＣＫエラーである。
【００４３】
まず、ＰＤＣＣＨにエラーがない時、ＡＣＫ/ＮＡＣＫチャネルのエラー(特に、ＡＣＫ-ｔｏ-ＮＡＣＫエラー)を考慮するデータ伝送方法について説明する。この場合、ＡＣＫ/ＮＡＣＫチャネルのエラーが生じたか否かは、ＰＤＣＣＨを介して受信されるアップリンクグラントに応じて従属的に決定することができる。
【００４４】
図４は、本発明の一例に係るＡＣＫ/ＮＡＣＫチャネルのエラーを考慮するデータ伝送方法を示す。以下で使われるＭＡＣ ＰＤＵはデータブロックの一種であり、端末が基地局に伝送するアップリンクデータを指す他の用語を使ってもよい。
【００４５】
図４を参照すると、端末が基地局にＭＡＣ ＰＤＵ０を伝送する(Ｓ１００)。基地局は、ＡＣＫ/ＮＡＣＫチャネルを介して端末にＡＣＫ信号を伝送する(Ｓ１１０)。然しながら、ＡＣＫ-ｔｏ-ＮＡＣＫエラーが発生して、端末はＡＣＫ信号でないＮＡＣＫ信号を受信すると仮定する。一方、基地局は次のデータであるＭＡＣ ＰＤＵ１を端末から受信するためにＰＤＣＣＨを介してアップリンクグラント(UL grant)を伝送する(Ｓ１２０)。前記アップリンクグラントは、ＭＡＣ ＰＤＵ０の次のデータであるＭＡＣ ＰＤＵ１の伝送に使われる無線リソースを割り当てるためのリソース割当情報である。このとき、前記端末のＵＥ_ＩＤが共に伝送される。
【００４６】
基地局は、前記アップリンクグラントの再伝送に備えてスケジューリングタイム(つまり、送信時間間隔（transmission time interval；ＴＴＩ）)ごとにＨＡＲＱプロセス別にフラグを設定する。フラグは、以前に伝送されたアップリンクグラントのリソース割当情報の状態を知らせる指示情報である。フラグは式１によって更新される。
【００４７】
Ｆｌａｇ＝１ if resource is allocated        （１）
０ if resource is not allocated
【００４８】
即ち、基地局が端末から新しいデータを受信するためにアップリンクグラントにリソース割当情報を含ませて伝送した場合、フラグを１に設定して、基地局が端末にリソース割当情報を含ませずにＮＵＬＬアップリンクグラントを伝送する場合にはフラグを０に設定する。
【００４９】
端末は、ＡＣＫ-ｔｏ-ＮＡＣＫエラーを検出する(Ｓ１３０)。端末は、ＮＡＣＫを受信した後、新しいデータの伝送のためのアップリンクグラントを受信したため、ＡＣＫ-ｔｏ-ＮＡＣＫエラーを検出することができる。なぜなら、新しいデータの伝送のためのアップリンクグラントは、以前に送信されたＡＣＫ/ＮＡＣＫ信号がＡＣＫ信号である時、伝送されるためである。従って、端末は、ＮＡＣＫ信号をＡＣＫ信号と判定して、基地局にＭＡＣ ＰＤＵ１を伝送する(Ｓ１４０)。端末は、ＭＡＣ ＰＤＵ０を再伝送せず、前記アップリンクグラントに伴う無線リソースを用いて新しいＭＡＣ ＰＤＵ１を伝送する。
【００５０】
前述した通り、基地局が端末にアップリンクグラントを介して無線リソースを割り当てるかどうかは、基地局のＭＡＣ ＰＤＵの受信成功の如何に応じて変わる。即ち、基地局は、ＭＡＣ ＰＤＵの受信に成功(ＡＣＫ信号)した場合、新しいＭＡＣ ＰＤＵのための新しい無線リソースを端末に割り当てる。一方、ＭＡＣ ＰＤＵの受信に失敗した場合(ＮＡＣＫ信号)、別途の無線リソースを端末に割り当てないで、ＮＵＬＬアップリンクグラントまたは再伝送のためのアップリンクグラントを伝送する。
【００５１】
図５は、本発明の他の例に係るＡＣＫ/ＮＡＣＫチャネルのエラーを考慮するデータ伝送方法を示す。
【００５２】
図５を参照すると、端末が基地局にＭＡＣ ＰＤＵ_Ｌａｓｔを伝送する(Ｓ２００)。ＭＡＣ ＰＤＵ_Ｌａｓｔは、端末が基地局に伝送する最後のデータを意味する。ここで、最後のデータとは、次の伝送時点にそれ以上基地局に送るデータがない場合のデータをいう。ＭＡＣ ＰＤＵ_Ｌａｓｔは、ＨＡＲＱプロセス別に遂行されるＨＡＲＱにおいて、いずれか一つのＨＡＲＱプロセスでそれ以上送るデータがない場合のデータを意味する。基地局は、端末にＡＣＫ信号を伝送するが、ＡＣＫ-ｔｏ-ＮＡＣＫエラーが発生して、端末は、ＮＡＣＫ信号を受信すると仮定する(Ｓ２１０)。
【００５３】
基地局は、ＮＵＬＬアップリンクグラントを伝送する(Ｓ２２０)。基地局が最後のデータであるＭＡＣ ＰＤＵ_Ｌａｓｔの受信に成功した場合(ＡＣＫ信号)にはそれ以上端末のための無線リソースを割り当てる必要がないため、ＮＵＬＬアップリンクグラント(NULL UL grant)を伝送してデータ伝送の終了を知らせる。端末は、ＡＣＫ-ｔｏ-ＮＡＣＫエラーを検出する(Ｓ２３０)。基地局からＮＵＬＬアップリンクグラントを受信した端末は、ＡＣＫ/ＮＡＣＫチャネルのエラーを検出することができる。なぜなら、もし、ＭＡＣ ＰＤＵ_Ｌａｓｔに対するＡＣＫ/ＮＡＣＫ信号がＮＡＣＫ信号ならば、基地局は、アップリンクグラント及びＮＵＬＬアップリンクグラントのうちいずれかも伝送しないためである。端末は、基地局とのデータ通信を終了する(Ｓ２４０)。
【００５４】
アップリンクデータ伝送において、複数の端末間に伝送衝突が発生する場合がある。例えば、まず第１の端末が第１のリソース割当情報を用いて第１のデータを伝送して、基地局が第１のデータに対してＡＣＫ信号を伝送したと仮定する。ところが、リソース割当の優先順位が変わるようになって基地局が第１の端末のための無線リソースを割り当てないで、第２の端末に再び第１のリソース割当情報を割り当てることができる。もし、第１の端末に対してＡＣＫ-ｔｏ-ＮＡＣＫエラーが発生すれば、第１の端末は、以前に割り当てられた第１のリソース割当情報を用いてデータを再伝送し、第２の端末も第１のリソース割当情報を用いて自分のデータを伝送する。このとき、第１の端末のデータと第２の端末のデータが同じ無線リソース上で伝送されて干渉が発生し、これは大きいビット誤り率 (Bit Error Rate；ＢＥＲ)を引き起こす場合がある。
【００５５】
図６は、本発明の他の例に係るＡＣＫ/ＮＡＣＫチャネルのエラーを考慮するデータ伝送方法を示す。
【００５６】
図６を参照すると、第１の端末が基地局にＭＡＣ ＰＤＵ_ＵＥ１を伝送する(Ｓ３００)。基地局は、ＭＡＣ ＰＤＵ_ＵＥ１に対してＡＣＫ信号を伝送するが、ＡＣＫ-ｔｏ-ＮＡＣＫエラーが発生して、端末はＮＡＣＫ信号を受信する(Ｓ３１０)。また、リソース割当の優先順位が第１の端末から第２の端末に変更されて、基地局は第１の端末に対してリソースを割り当てないで、ＮＵＬＬアップリンクグラントを伝送する(Ｓ３２０)。基地局は、第２の端末に対して無線リソースを割り当ててアップリンクグラントを伝送する(Ｓ３３０)。
【００５７】
第１の端末は、ＡＣＫ-ｔｏ-ＮＡＣＫエラーを検出する(Ｓ３４０)。一旦、ＮＵＬＬアップリンクグラントを受信した端末は、以前に受信したＮＡＣＫ信号が実際にＡＣＫ信号でなければならないことが分かり、従って、ＡＣＫ-ｔｏ-ＮＡＣＫエラーが発生したことが分かる。また、連続的なデータ伝送においてＭＡＣ ＰＤＵ_ＵＥ１は、第１の端末の最後のデータでもないため、基地局が第１の端末に対するＮＵＬＬアップリンクグラントを伝送したことは第１の端末以外に第２の端末にリソースが割り当てられたということを意味する。
【００５８】
従って、第１の端末は、次のデータの伝送を保留する(Ｓ３５０)。もし、第１の端末が第２の端末に割り当てられた無線リソース上でデータを伝送する場合、第２の端末のデータと衝突が発生する場合もあるためである。同じセル内に存在する複数の端末間の衝突を防止するためにいずれか一つの端末のスケジューリングを保留する。第２の端末は、前記割り当てられた無線リソースを用いてＭＡＣ ＰＤＵ_ＵＥ２を伝送する(Ｓ３６０)。
【００５９】
次に、端末がＡＣＫ信号を受信したが、ＰＤＣＣＨエラーが発生して端末が有効なアップリンクグラントが受信できない場合(これをサスペンション状態という)、ＡＣＫ/ＮＡＣＫチャネルのエラーを判断する方法について説明する。まず、端末は、次のような三つの場合にＡＣＫ/ＮＡＣＫチャネルにエラーがない(即ち、ＮＡＣＫ-ｔｏ-ＡＣＫエラーがない)と判断する。
【００６０】
１)端末が最大伝送回数前に前記新規伝送のためのアップリンクグラントを受信した場合。
端末は、伝送試行回数(Transmission Trial Number；TTN)を含み、伝送試行回数は、現在バッファに格納されたＭＡＣ ＰＤＵに関して実行した伝送の回数を意味する。即ち、端末は現在バッファに格納されたＭＡＣ ＰＤＵに関して伝送が行われるごとに伝送回数を１ずつ増加させる。端末のＭＡＣ階層がＨＡＲＱを遂行することにおいてサスペンションによって最大伝送回数だけ同じデータを繰り返して伝送すれば、バッファはフラッシュされる。
【００６１】
２)端末が前記新しいデータの最大伝送回数だけ新しいデータ伝送のためのアップリンクグラントを待った後、ＡＣＫ/ＮＡＣＫを受信する時点でも新しいデータの伝送のためのアップリンクグラントが受信できない場合。
これは基地局が既に端末の最後のデータを受信する、或いは他の端末のアップリンクグラント割当によって既にＡＣＫとＮＵＬＬアップリンクグラントを送ったケースに該当する。
【００６２】
３)端末が基地局からＮＵＬＬアップリンクグラントを受信する場合。
【００６３】
次に、端末がＡＣＫ信号を受信した後、アップリンクグラントを有効に受信することができない場合、端末は、次のような２つの場合にＡＣＫ/ＮＡＣＫチャネルにエラーがある(即ち、ＮＡＣＫ-ｔｏ-ＡＣＫエラーがある)と判断する。
【００６４】
１)端末は、前記新しいデータの最大伝送回数だけアップリンクグラント受信を待った後、最大伝送回数前に再伝送のためのアップリンクグラントを受信した場合。
これは端末が再伝送データを送っていないことを基地局が検出して再伝送を要請する場合である。
【００６５】
２)端末が伝送したデータにエラーが発生して最大伝送回数だけアップリンクグラントを待った後、最大伝送回数後にアップリンクグラント(または再伝送のためのアップリンクグラント)を受信した場合。
【００６６】
このように端末がサスペンション状態である場合、基地局からＡＣＫ/ＮＡＣＫ信号を受信することができないため、サスペンション状態を終えてＭＡＣ ＰＤＵの再伝送を誘導するためには端末はＰＤＣＣＨを介してアップリンクグラントを受信しなければならない。
【００６７】
図７は、本発明の一例に係るＰＤＣＣＨとＡＣＫ/ＮＡＣＫチャネルのエラーを考慮するデータ伝送方法を示すフローチャートである。
【００６８】
図７を参照すると、端末はアップリンクデータを基地局に伝送する(Ｓ５００)。前記端末は、前記アップリンクデータの伝送に対して前記基地局からＡＣＫ信号を受信する(Ｓ５１０)。前記端末が前記アップリンクデータを伝送した後、受信したＰＤＣＣＨのＣＲＣエラーを検出する(Ｓ５２０)。もし、前記ＰＤＣＣＨのＣＲＣエラーが検出されず前記端末がＰＤＣＣＨを正常に受信した場合、前記端末は、アップリンクグラントが再伝送のためのアップリンクグラントであるか否かを判断する(Ｓ５３０)。アップリンクグラントが再伝送のためのものであるか、或いは新規伝送のためのものであるかは、アップリンクグラントに含まれた伝送状態インジケータによって指示される。このとき、端末は、前記アップリンクデータをバッファで保管して、バッファを空にしない。
【００６９】
もし、前記アップリンクグラントが再伝送のためのアップリンクグラントである場合、前記端末は、前記ＡＣＫ信号をＮＡＣＫ信号として確定する(Ｓ５４０)。即ち、端末は、バッファに格納された前記アップリンクデータに関するＡＣＫ/ＮＡＣＫ信号をＮＡＣＫ信号として確定する。もし、前記アップリンクグラントが再伝送のためのアップリンクグラントでなければ(即ち、伝送状態インジケータが新規伝送を指す場合)、前記ＡＣＫ信号をＡＣＫ信号として確定する(Ｓ５５０)。即ち、ＡＣＫ/ＮＡＣＫ信号の情報(ＡＣＫ/ＮＡＣＫ信号がＡＣＫであるか、或いはＮＡＣＫ信号であるか)と関係なく、次に伝送されるアップリンクグラントを優先して再伝送または新規伝送の如何を決定する。
【００７０】
もし、前記ＰＤＣＣＨのＣＲＣエラーが検出される場合、前記ＰＤＣＣＨを介して伝送される前記アップリンクグラントが最大伝送回数だけ再伝送されたアップリンクグラントであるかどうかを判断する(Ｓ５６０)。もし、前記アップリンクグラントが最大伝送回数だけ再伝送されたアップリンクグラントでない場合、前記端末は待機する(Ｓ５７０)。もし、前記アップリンクグラントが最大伝送回数だけ再伝送されたアップリンクグラントである場合、前記ＡＣＫ信号をＮＡＣＫ信号として確定する(Ｓ５８０)。
【００７１】
図８は、本発明の他の例に係るＰＤＣＣＨとＡＣＫ/ＮＡＣＫチャネルのエラーを考慮するデータ伝送方法を示すフローチャートである。
【００７２】
図８を参照すると、端末はアップリンクデータを基地局に伝送する(Ｓ６００)。前記端末は、前記アップリンクデータの伝送に対して前記基地局から再伝送要請であるＮＡＣＫ信号を受信する(Ｓ６１０)。前記端末が前記アップリンクデータを伝送した後、受信されたＰＤＣＣＨのＣＲＣエラーを検出する(Ｓ６２０)。もし、前記ＰＤＣＣＨのＣＲＣエラーが検出されないで前記端末がＰＤＣＣＨを正常に受信した場合、前記端末は、アップリンクグラントが再伝送のためのアップリンクグラントであるか否かを判断する(Ｓ６３０)。
【００７３】
もし、前記アップリンクグラントが再伝送のためのアップリンクグラントである場合、前記端末は、前記ＮＡＣＫ信号をＮＡＣＫ信号として確定する(Ｓ６４０)。もし、前記アップリンクグラントが再伝送のためのアップリンクグラントでなければ、前記ＮＡＣＫ信号をＡＣＫ信号として確定する(Ｓ６５０)。即ち、ＡＣＫ/ＮＡＣＫ信号の情報(ＡＣＫ/ＮＡＣＫ信号がＡＣＫであるか、或いはＮＡＣＫ信号であるか)と関係なく、次に伝送されるアップリンクグラントを優先して再伝送または新規伝送の如何を決定する。
【００７４】
もし、前記ＰＤＣＣＨのＣＲＣエラーが検出された場合(即ち、サスペンション状態である場合)、端末は、伝送試行回数を１ずつ増加させながら受信されるアップリンクグラントを用いてＡＣＫ/ＮＡＣＫ信号のエラーを判断し、また、伝送試行回数が最大伝送回数に達するまで判断する(Ｓ６６０)。もし、伝送試行回数が最大伝送回数に到達する以前に再伝送のためのアップリンクグラントを受信した場合、前記端末はバッファに格納されたＭＡＣ ＰＤＵを再伝送する(Ｓ６７０)。もし、伝送試行回数が最大伝送回数に到達する前に再伝送のためのアップリンクグラントが受信できない場合、前記ＮＡＣＫ信号をＮＡＣＫ信号として確定する(Ｓ６８０)。このようにサスペンション状態でのデータ再伝送を許容するためにＰＤＣＣＨのシグナリングが実行される。これは基地局からＡＣＫ/ＮＡＣＫ信号を伝送することができないためである。
【００７５】
図９は、本発明の他の例に係るＰＤＣＣＨとＡＣＫ/ＮＡＣＫチャネルのエラーを考慮するデータ伝送方法を示す流れ図である。
【００７６】
図９を参照すると、基地局がＰＤＣＣＨを介してアップリンクグラントを伝送する(Ｓ７００)。端末は、ＰＤＣＣＨのＣＲＣエラーを検出する(Ｓ７１０)。ＰＤＣＣＨにＣＲＣエラーが存在するため、前記端末は、これに対応するＡＣＫ/ＮＡＣＫチャネルのエラーを判断せずに待機する(Ｓ７２０)。即ち、前記端末は、ＰＤＣＣＨにＣＲＣエラーが発生すれば、データを再伝送する、或いは新しいデータを伝送せずに保留する。
【００７７】
基地局は、信号を検出する(Ｓ７３０)。基地局が端末から伝送される信号を検出した結果、アップリンクデータの測定エネルギ強度が特定臨界値より低ければ、ＰＤＣＣＨにＣＲＣエラーが発生して端末がデータの伝送を保留して待機すると判断する。信号の検出は、アップリンクデータの無効伝送検出(Null Tx detection)によって行うこともできる。信号の検出は、その他にも広く知られた他の従来の技術によって行うことができる。
【００７８】
基地局は、アップリンクグラントを再伝送する(Ｓ７４０)。ＰＤＣＣＨにＣＲＣエラーが発生したため、基地局はフラグを参照して新しいデータの伝送のためのアップリンクグラントを伝送するか、或いは再伝送のためのアップリンクグラントを伝送するかを決定する。
【００７９】
ダウンリンク制御チャネルであるＰＤＣＣＨのＣＲＣエラー発生時、端末が伝送を保留して、基地局は、伝送保留を探知して次の伝送周期にアップリンクグラントを再伝送することによってエラーに対する迅速且つ効率的な対処が可能である。
【００８０】
図１０は、本発明の他の例に係るＰＤＣＣＨとＡＣＫ/ＮＡＣＫチャネルのエラーを考慮するデータ伝送方法を示す流れ図である。
【００８１】
図１０を参照すると、端末がＭＡＣ ＰＤＵ０を伝送する(Ｓ８００)。ＲＶ(Redundancy Version)はＨＡＲＱ復号化のためのデータの伝送フォーマットを意味する。ＲＶはデータの再伝送が発生するごとにその値が更新または切り換えられる。ＲＶは、前記端末がＭＡＣ ＰＤＵ０を最初に伝送するため、ＲＶは０に設定される。
【００８２】
基地局はＡＣＫ信号を伝送し(Ｓ８１０)、ＰＤＣＣＨを介してアップリンクグラントを伝送する(Ｓ８２０)。このとき、前記基地局はフラグを１に設定する。一方、前記アップリンクグラントが新しいデータであるＭＡＣ ＰＤＵ１の伝送のためのものであるため、前記アップリンクグラントに含まれたＲＶは０である。ＰＤＣＣＨのＣＲＣエラーを検出した結果、前記端末はＰＤＣＣＨを介してアップリンクグラントが有効に受信できないと仮定する(Ｓ８３０)。ＰＤＣＣＨでＣＲＣエラーが検出されるため、前記端末は待機する(Ｓ８４０)。即ち、前記端末は、ＰＤＣＣＨにＣＲＣエラーが発生すれば、ＡＣＫ/ＮＡＣＫチャネルのエラー検出及びアップリンクデータの伝送を試みないで伝送試行回数(TTN)を１ずつ増加させて、伝送試行回数が最大伝送回数になる時まで保留する。なぜなら、前記端末は、ＰＤＣＣＨのエラーによってアップリンクグラントが正しく受信できず、アップリンクデータを伝送する無線リソースが分からないためである。
【００８３】
一方、前記端末は、以前に伝送したＭＡＣ ＰＤＵ０をバッファに格納する。バッファは、ＨＡＲＱプロセスがＭＡＣ ＰＤＵを格納するメモリである。端末は、たとえ、ＡＣＫ信号を受信しても、ＭＡＣ ＰＤＵをバッファから削除しない。従って、端末は、ＮＡＣＫ-ｔｏ-ＡＣＫエラーによる不連続的なＭＡＣ ＰＤＵの伝送が発生した時、迅速に欠落した連続番号に該当するＭＡＣ ＰＤＵを再伝送することによって、受信機がデータの損失なくデータを上位階層に伝達できるようにすることができる。
【００８４】
前記基地局は、信号を検出する(Ｓ８５０)。前記端末が待機すると判断すると、基地局は、前記フラグを参照してＰＤＣＣＨで新しいデータであるＭＡＣ ＰＤＵ１の伝送のための前記アップリンクグラント、即ち、新規伝送のためのアップリンクグラントを伝送する(Ｓ８６０)。ここで、伝送されるアップリンクグラントは最大伝送回数以前に伝送されると仮定する。
【００８５】
最大伝送回数以前に新規伝送のためのアップリンクグラントを受信した前記端末は、ＰＤＣＣＨのＣＲＣエラーを検査する(Ｓ８７０)。ＰＤＣＣＨにエラーがなく、前記アップリンクグラントを最大伝送回数以前に受信したため、前記端末は、前記ＭＡＣ ＰＤＵ０に関して受信した以前のＡＣＫ信号にＮＡＣＫ-ｔｏ-ＡＣＫエラーが無いことがわかる。従って、前記端末は、ＭＡＣ ＰＤＵ１を伝送して、バッファをフラッシュする(Ｓ８８０)。ＰＤＣＣＨにＣＲＣエラーがないため、端末はアップリンクグラントが指す無線リソースを用いてＭＡＣ ＰＤＵ１を伝送する。このとき、前記端末はバッファをフラッシュする。
【００８６】
図１１は、本発明の他の例に係るＰＤＣＣＨとＡＣＫ/ＮＡＣＫチャネルのエラーを考慮するデータ伝送方法を示す流れ図である。図１１は、セル内に属する全ての端末に割り当てる無線リソースが足りず一部の端末にＮＵＬＬアップリンクグラントを伝送した場合であって、ＰＤＣＣＨにＣＲＣエラーが検出される場合である。
【００８７】
図１１を参照すると、端末がＭＡＣ ＰＤＵ０を基地局に伝送する(Ｓ９００)。前記端末がＭＡＣ ＰＤＵ０を最初に伝送するため、ＲＶは０と表示する。前記基地局はＡＣＫ信号を伝送する(Ｓ９１０)。一方、前記端末はＡＣＫ信号を受信する。基地局のスケジューリングの結果、セル内に属する他の端末へのリソース割当によって前記端末にはリソース割当情報を除外したアップリンクグラントであるＮＵＬＬアップリンクグラントを、ＰＤＣＣＨを介して伝送する(Ｓ９２０)。このとき、前記基地局はフラグを０に設定する。
【００８８】
前記端末はＰＤＣＣＨのＣＲＣエラーを検出する(Ｓ９３０)。ＰＤＣＣＨにＣＲＣエラーが検出されるため前記端末は待機する(Ｓ９４０)。なぜなら、前記端末は、ＰＤＣＣＨにＣＲＣエラーが発生すれば、伝送するアップリンクグラントが分からず、アップリンクデータが伝送できないためである。一方、前記端末は以前に伝送したＭＡＣ ＰＤＵ０をバッファに格納する。以後に、もし、ＡＣＫ/ＮＡＣＫチャネルでエラーが検出されれば、その時再び再伝送するためである。端末は、伝送を保留するごとに伝送試行回数(TTN)を１ずつ増加させる。
【００８９】
前記基地局は、前記端末に別途の無線リソースを割り当てなかったため、前記端末からアップリンクデータが受信されるかどうかを判断する必要がない。即ち、前記基地局は、前記端末からの信号を検出せず、ＡＣＫ/ＮＡＣＫ信号も伝送せずに待機する(Ｓ９５０)。
【００９０】
このような方法によって端末が伝送試行回数を１ずつ増加させる間に、伝送試行回数が最大伝送回数に達するまで基地局からアップリンクグラントが伝送されないと、前記端末は、以前に伝送したＭＡＣ ＰＤＵ０に対するＡＣＫ信号にエラーがないと判断して、バッファをフラッシュする(Ｓ９６０)。なぜなら、もし、基地局がＮＡＣＫを伝送したとするなら、再伝送のためのアップリンクグラントを伝送しなければならないが、端末は、最大伝送回数以前または以後にもアップリンクグラントを受信しなかったためである。
【００９１】
図１２は、本発明の他の例に係るＰＤＣＣＨとＡＣＫ/ＮＡＣＫチャネルのエラーを考慮するデータ伝送方法を示す流れ図である。図１２は、基地局がＮＡＣＫ信号を伝送してアップリンクグラントを伝送しなかった場合であって、ＮＡＣＫ-ｔｏ-ＡＣＫエラー及びＰＤＣＣＨのＣＲＣエラーが発生する場合である。
【００９２】
図１２を参照すると、端末がＭＡＣ ＰＤＵ０を伝送する(Ｓ１０００)。このとき、ＲＶは０である。基地局はＮＡＣＫ信号を伝送するが、ＮＡＣＫ-ｔｏ-ＡＣＫエラーが発生して前記端末はＡＣＫ信号を受信する(Ｓ１０１０)。このとき、端末は、ＭＡＣ ＰＤＵ０をバッファで保管し、バッファを空にしない。前記基地局はアップリンクグラントを伝送しない(Ｓ１０２０)。即ち、基地局はＰＤＣＣＨを介して前記端末のＵＥ_ＩＤ(またはC-RNTI)を伝送しない。このとき、前記基地局はフラグを０に設定する。
【００９３】
前記端末はＰＤＣＣＨのＣＲＣエラーを検出する(Ｓ１０３０)。ＰＤＣＣＨを成功裏にデコーディングしても前記端末のためのアップリンクグラントは伝送されない。従って、バッファが空にされていないため、前記端末は伝送試行回数(TTN)が最大伝送回数に達するまで伝送試行回数を１ずつ増加させながら待機する(Ｓ１０４０)。
【００９４】
前記基地局は信号を検出する(Ｓ１０５０)。前記基地局はＮＡＣＫを伝送したためＭＡＣ ＰＤＵ０の伝送に伴う信号が検出されることを期待する。ところが、前記端末が待機状態であるため、前記基地局は信号が検出できないため、前記基地局はフラグを参照する。前記基地局はＰＤＣＣＨを介して最大伝送回数以前に前記ＭＡＣ ＰＤＵ０の再伝送のためのアップリンクグラントを伝送する(Ｓ１０６０)。
【００９５】
前記端末はＰＤＣＣＨのＣＲＣエラーを検出することができないと仮定する(Ｓ１０７０)。即ち、前記端末がＰＤＣＣＨを成功裏にデコーディングした結果、最大伝送回数以前に前記ＭＡＣ ＰＤＵ０の再伝送のためのアップリンクグラントを受信したため、前記端末は段階Ｓ１０１０でＮＡＣＫ-ｔｏ-ＡＣＫエラーが発生したことが分かる。従って、前記端末は、前記再伝送のためのアップリンクグラントによってＭＡＣ ＰＤＵ０を再伝送する(Ｓ１０８０)。このとき、ＲＶは１である。
【００９６】
このようなダウンリンク制御チャネルのエラーを考慮するデータ伝送方法は、次のような場合にも同様に適用することができる。
【００９７】
一例として、測定間隔は、無線接続技術間(inter-radio access technology；inter-RAT)及び/または周波数間ハンドオーバー等のために、端末がセル検索を遂行する区間であって、無線リソース制御 (Radio Resource Control；ＲＲＣ)シグナリングを介して決めることができる。このような測定間隔に端末はセル検索を遂行するため、ＰＤＣＣＨをデコーディングできなくなる。従って、端末は、測定間隔が遂行される該当ＴＴＩのＡＣＫ/ＮＡＣＫ信号をＡＣＫ信号に確定してサスペンション状態を維持する。そして、端末は、以後にＰＤＣＣＨを介してアップリンクグラントを受信してサスペンション状態を解除して伝送を再開する。
【００９８】
他の例として、ＭＡＣ ＰＤＵの再伝送に使われるリソースブロックのうち少なくとも一つがランダムアクセスチャネル (Random Access Channel；ＲＡＣＨ)のプリアンブル伝送に使われるリソースブロックに含まれる場合、端末は再伝送の試行を取消して、該当ＴＴＩのＡＣＫ/ＮＡＣＫ信号をＡＣＫ信号に確定してサスペンション状態を維持する。そして、端末は、以後にＰＤＣＣＨを介してアップリンクグラントを受信してサスペンション状態を解除して伝送を再開する。
【００９９】
前述した全ての機能は、前記機能を遂行するようにコーディングされたソフトウェアやプログラムコードなどに伴うマイクロプロセッサ、制御器、マイクロ制御器、ＡＳＩＣ(Application Specific Integrated Circuit)などのようなプロセッサによって遂行できる。前記コードの設計、開発及び具現化は本発明の説明に基づいて当業者に自明である。
【０１００】
以上、本発明に対して実施例を参照して説明したが、該当する技術分野の通常の知識を有する者は、本発明の技術的思想及び領域から逸脱しない範囲内で本発明を多様に修正及び変更させて実施することができる。従って、前述した実施例に限定されず、本発明は、特許請求の範囲内の全ての実施例を含む。
【符号の説明】
【０１０１】
１０    端末
２０    基地局
【図１】
2010539845.tif 000005
【図２】
2010539845.tif 000006
【図３】
2010539845.tif 000007
【図４】
2010539845.tif 000008
【図５】
2010539845.tif 000009
【図６】
2010539845.tif 000010
【図７】
2010539845.tif 000011
【図８】
2010539845.tif 000012
【図９】
2010539845.tif 000013
【図１０】
2010539845.tif 000014
【図１１】
2010539845.tif 000015
【図１２】
2010539845.tif 000016
【国際調査報告】
2010539845.tif 000017
2010539845.tif 000018